(57)【特許請求の範囲】
【請求項１】
カートリッジに収容された光記憶媒体に対してアクセスを行なう光記憶装置であって、
ドライブベースと；
前記ドライブベースに設けられたカートリッジホルダと；
前記ドライブベース上に第１の方向に往復動可能に搭載された第１キャリッジと；
前記第１キャリッジを移動させる第１駆動手段と；
前記光記憶媒体の所定の位置に光を照射する、前記第１キャリッジに搭載された光学ヘッドと；
前記カートリッジホルダ上に前記第１の方向に往復動可能に搭載された第２キャリッジと；
前記第２キャリッジを移動させる、前記カートリッジホルダ上に搭載された第２駆動手段と；
前記第２キャリッジに搭載された、前記光記憶媒体の所定の位置に磁界を与える磁気ヘッドを有する磁気ヘッドアセンブリと；
を具備したことを特徴とする光記憶装置。
【請求項２】
前記磁気ヘッドを前記光記憶媒体の外側へ移動させて保持することにより、前記磁気ヘッドを前記光記憶媒体に対してアンロードするアンロード手段を更に具備した請求項１記載の光記憶装置。
【請求項３】
前記磁気ヘッドを前記光記憶媒体から離れる方向に移動して、前記磁気ヘッドを前記光記憶媒体に対してアンロードするアンロード手段を更に具備した請求項１記載の光記憶装置。
【請求項４】
前記磁気ヘッドアセンブリは前記第２キャリッジに基端部が固定された支持部材と、該支持部材の先端部に搭載された前記磁気ヘッドとを含んでおり；
前記アンロード手段は前記支持部材に係合するように前記カートリッジホルダに固定された磁気ヘッドリフタから構成される請求項３記載の光記憶装置。
【請求項５】
前記磁気ヘッドリフタは前記光記憶媒体の最内周部又は最外周部に位置するときに前記支持部材に係合するように配置されている請求項４記載の光記憶装置。
【請求項６】
前記磁気ヘッドアセンブリは前記第２キャリッジに基端部が固定された支持部材と、該支持部材の先端部に搭載された前記磁気ヘッドとを含んでおり；
前記アンロード手段は前記カートリッジホルダに固定された磁気ヘッドリフタと、前記磁気ヘッドが前記光記憶媒体の最外周部に移動されたとき前記磁気ヘッドリフタに係合する前記支持部材から構成される請求項２記載の光記憶装置。
【請求項７】
前記アンロード手段は前記光記憶媒体の最内周部で前記磁気ヘッドをアンロードするように配置されており；
前記支持部材の前記第２キャリッジへの固定部が前記光記憶媒体の内周側に位置し、前記磁気ヘッドが前記光記憶媒体の外周側に位置する請求項３記載の光記憶装置。
【請求項８】
前記磁気ヘッドアセンブリは長手方向が前記第１の方向と直角となるように前記第２キャリッジに固定された支持部材と、該支持部材の先端部に搭載された前記磁気ヘッドを含んでいる請求項３記載の光記憶装置。
【発明の詳細な説明】
【０００１】
【発明の属する技術分野】
本発明は一般的に光記憶装置に関し、特に、光学ヘッドと磁気ヘッドとを具備した光磁気ディスク装置に関する。
【０００２】
【従来の技術】
光磁気ディスク装置は、年々高密度化を要求されており、情報の記録に様々な方式が開発されている。ＩＳＯ規格に採用されている光変調方式は、外部磁界を一定方向に印加したままレーザビームを記録データで変調することにより、情報を光磁気記録媒体に記録する。この光変調方式においては、情報の記録密度はビームスポットのサイズにより限定される。
【０００３】
これに対し、一定強度のレーザビームを照射したままま外部磁界を記録データで変調する磁界変調方式は、ビームスポットのオーバーラップが可能なため、光変調方式に比べて高密度記録に有利であると考えられている。
【０００４】
外部磁界を記録すべきデータで高速に変調するため、磁気ヘッドとして接触又は浮上磁気ヘッドが使用されており、磁気ヘッドの形状と動作原理は磁気ディスク装置や磁気テープ装置に使用されている磁気ヘッドと概略同一である。
【０００５】
浮上型の場合光磁気ディスクが回転すると、磁気ヘッドはディスク上を約１０μｍ程度の高さで浮上しながら、ビームスポット内にデータを記録する。
今後、光変調方式でも高密度記録再生が進めば磁気ヘッドの使用される可能性は高くなると考えられる。
【０００６】
【発明が解決しようとする課題】
磁気ヘッドを使用するに当たり、以下のような問題点が挙げられる。
第１の問題点は、磁気ヘッドはディスク上を約１０μｍ程度の高さで浮上するので、従来の光変調方式で使用されている電磁石バイアスに比べて磁気ヘッドの取り扱いが難しい点である。特に、磁気ヘッドとディスクカートリッジとの接触による破損を防止する手段を設けることは極めて重要である。
【０００７】
従来は可搬型ディスクを装置内に挿入／排出する際にディスクカートリッジと接触しないよう、磁気ヘッドを浮上させる手段あるいは磁気ヘッドをディスクの外側へ退避させる手段等が設けられている。しかし、ディスクカートリッジを装置内に挿入中に磁気ヘッドの破損を防止する特別の工夫はなされていない。
【０００８】
第２の問題点は、磁気ヘッドは光学ヘッドとディスクを挟んで対向して配置される点である。従来装置では磁気ヘッドと光学ヘッドは同一キャリッジに固定され一体となって動くので、ロードビームを含んだ磁気ヘッドアセンブリのキャリッジ部分はディスクのデータ領域よりも長くなければならない。
【０００９】
よって、磁気ヘッド破損防止のために磁気ヘッドをディスク外側へ退避させようとすると、キャリッジがかなり装置の奥側まで移動しなければならず、光学部品の設置スペースが減少してしまう。従って、光記憶装置が大型化してしまう。
【００１０】
よって本発明の目的は、光記憶媒体が装置内に挿入されているときに磁気ヘッドの破損を防止する手段を具備した光記憶装置を提供することである。
本発明の他の目的は、キャリッジの移動により光学部品の設置スペースが減少することのない光記憶装置を提供することである。
【００１１】
【課題を解決するための手段】
本発明によると、カートリッジに収容された光記憶媒体に対してアクセスを行なう光記憶装置であって、ドライブベースと；前記ドライブベースに設けられたカートリッジホルダと；前記ドライブベース上に第１の方向に往復動可能に搭載された第１キャリッジと；前記第１キャリッジを移動させる第１駆動手段と；前記光記憶媒体の所定の位置に光を照射する、前記第１キャリッジに搭載された光学ヘッドと；前記カートリッジホルダ上に前記第１の方向に往復動可能に搭載された第２キャリッジと；前記第２キャリッジを移動させる、前記カートリッジホルダ上に搭載された第２駆動手段と；前記第２キャリッジに搭載された、前記光記憶媒体の所定の位置に磁界を与える磁気ヘッドを有する磁気ヘッドアセンブリと；を具備したことを特徴とする光記憶装置が提供される。
【００１２】
アンロード手段は磁気ヘッドをデータの再生時に光記憶媒体から持ち上げた状態で保持する。好ましくは、磁気ヘッドの持ち上げは光記憶媒体の外側又は最内周部で行なわれる。
【００１３】
磁気ヘッドアセンブリは第２キャリッジに基端部が固定された支持部材と、該支持部材の先端部に搭載された磁気ヘッドとを含んでいる。好ましくは、アンロード手段はカートリッジホルダに固定された磁気ヘッドリフタと、支持部材に固定された係合子とを含んでいる。
【００１４】
代案として、アンロード手段はカートリッジホルダに固定された磁気ヘッドリフタと、磁気ヘッドが光記憶媒体の最外周部に移動したとき磁気ヘッドリフタに乗り上げる支持部材とから構成される。
【００１７】
【発明の実施の形態】
以下、図面を参照して本発明の数多くの実施形態について説明する。全ての実施形態において、実質的に同一構成部分については同一符号を付して説明する。
【００１８】
図１を参照すると、本発明第１実施形態の光磁気ディスク装置２Ａの概略平面図が示されている。図２（Ａ）は図１の左側面図であり、図３は図１の背面図である。
【００１９】
カートリッジ８内には光磁気ディスク１０が収容されている。符号１０ａは最インナートラック、符号１０ｂは最アウタートラックを示しており、最インナートラック１０ａと最アウタートラック１０ｂとの間にデータ領域が画成されている。
【００２０】
符号４は光磁気ディスク装置２Ａのドライブベース又はディスクエンクロージャを示しており、ドライブベース４上には一対の磁気回路１４、一対のガイドレール１６、半導体レーザ１８等が搭載されている。
【００２１】
図３に示されているように、各磁気回路１４はドライブベース４に固定されたバックヨーク２０と、永久磁石２２と、トップヨーク２４とを含んでいる。符号２６は対物レンズ３０を有する光学ヘッド２８を担持した第１キャリッジであり、各磁気回路１４に対応する位置に一対のコイル３２を具備している。
【００２２】
磁気回路１４とコイル３２とでボイスコイルモータ（ＶＣＭ）が構成され、コイル３２に電流を流すと、第１キャリッジ２６が一対のガイドレール１６に案内されて光磁気ディスク１０の半径方向に移動する。
【００２３】
図２（Ａ）に示されるように、光学ヘッド２８はビーム立ち上げミラー３４を有している。半導体レーザ１８から出射されたレーザビームは、ビーム立ち上げミラー３４で垂直方向に反射されて、対物レンズ３０により光磁気ディスク１０上に集光される。
【００２４】
光磁気ディスクカートリッジ８はドライブベース４に固定されたカートリッジホルダ６内に挿入され、又はカートリッジホルダ６内から排出される。カートリッジホルダ６は鉄から形成されている。
【００２５】
図５及び図６に示すように、カートリッジホルダ６には長方形状の開口３６が形成されている。図４に示すように、一対のレール取付部材３８，３９がカートリッジホルダ６と一体的に形成されている。レール取付部材３８，３９は例えば押し出し成型により形成される。レール取付部材３８，３９には一対のガイドレール４０が固定されている。
【００２６】
図３に最も良く示されているように、板バネ６６で各ガイドレール４０を抑えて、板バネ６６とストッパ６４をネジ６５でガイドレール取付部材３９に共締めすることにより、ガイドレール４０の一端部がガイドレール取付部材３９に固定される。
【００２７】
ガイドレール４０の反対側の取り付けも同様であり、板バネ６３で各ガイドレール４０を抑えて、板バネ６３とストッパ６０をネジ６２でガイドレール取付部材３８に共締めすることにより、ガイドレール４０の他端部がガイドレール取付部材３８に固定される。
【００２８】
各ガイドレール４０は光磁気ディスク１０の半径方向に伸長しており、ガイドレール４０に案内されて光磁気ディスク１０の半径方向に移動可能に第２キャリッジ４２が取り付けられている。第２キャリッジ４２の移動方向は、第１キャリッジ２６の移動方向と同一である。
【００２９】
第２キャリッジ４２には磁気ヘッドアセンブリ４３が取り付けられている。即ち、磁気ヘッドアセンブリ４３のロードビーム４４の基端部が第２キャリッジ４２に固定されており、ロードビーム４３の先端部に磁気ヘッド４６が搭載されている。ロードビーム４４に係合子４８が固定されている。本実施形態では、ロードビーム４４はガイドレール４０と同一方向に伸長している。
【００３０】
本発明は光学ヘッド２８と磁気ヘッド４６が独立して移動されることを一つの特徴とする。従って、第１キャリッジ２６の駆動手段とは別に、第２キャリッジ４２の駆動手段が設けられている。この駆動手段はカートリッジホルダ６に固定された一対の磁気回路４９と、第２キャリッジ４２に取り付けられた一対のコイル５６とから構成される。
【００３１】
上述したように、カートリッジホルダ６は鉄から形成されており、カートリッジホルダ６が各磁気回路４９のバックヨークを構成する。よって、各磁気回路４９はカートリッジホルダ６と、カートリッジホルダ６上に固定された永久磁石５０と、トップヨーク５２と、サイドヨーク５４とから構成される。永久磁石５０とトップヨーク５２との間のギャップ中を各コイル５６が移動する。
【００３２】
図４にカートリッジホルダ６を一部破断して示しているように、カートリッジホルダ６の裏側には一対の磁気ヘッドリフタ５８が固定されている。各磁気ヘッドリフタ５８は係合子４８が乗り上げる傾斜面（テーパ面）５８ａを有している。
【００３３】
図２（Ｂ）に最も良く示されるように、磁気ヘッド４６が光磁気ディスク１０の最内周側に移動されると、ロードビーム４４に固定された係合子４８が磁気ヘッドリフタ５８の傾斜面５８ａに乗り上げ、磁気ヘッド４６は磁気ヘッドリフタ５８により光磁気ディスク１０から離された状態で保持される。
【００３４】
図５及び図６を参照すると、図１に示された数多くの機構を省略して、カートリッジホルダ６及びカートリッジ８のみを取り出した状態の平面図が示されている。図５は光磁気ディスクカートリッジ８の装置２Ａへの挿入開始時の平面図であり、図６は挿入途中時の平面図である。
【００３５】
カートリッジ８は矢印Ｓ方向に移動可能なシャッター６８と、一端がシャッター６８に固定されたシャッター開部材７０を有している。シャッターバネ７６の一端がシャッター６８に係合し、その他端がカートリッジ８に係合している。カートリッジ８には更に切欠き７２が形成されている。
【００３６】
光磁気ディスクカートリッジ８は図５の矢印Ｔ方向に光磁気ディスク装置２４内に挿入又はロードされ、これに伴いシャッター６８が開いて窓６９を通して光磁気ディスク１０が露出する。
【００３７】
このため、シャッター６８の開閉機構及びカートリッジ８の排出機構を光磁気ディスク装置２Ａは具備する必要がある。図１ではシャッター６８の開閉機構及びカートリッジ８の排出機構は省略されている。
【００３８】
よって、図５及び図６に示されるように、カートリッジホルダ６にはガイド溝７８が形成されている。ガイド溝７８はその一端に大径端部８０を有しており、この大径端部８０を通してローラ８２，８４がガイド溝７８中に挿入されている。
【００３９】
イジェクトアーム８６が軸８７周りに回動可能にカートリッジホルダ６に取り付けられている。イジェクトアーム８６はコイルバネ８８により図５で反時計回り方向に付勢されている。
【００４０】
ローラ８４はイジェクトアーム８６の図示しない長穴中に挿入されている。符号９０はカートリッジ排出バネを示しており、その一端はローラ８２に固定され、他端はローラ８４に固定されている。
【００４１】
しかして、カートリッジ８を図５の矢印Ｔ方向に光磁気ディスク装置２Ａ内に挿入すると、ローラ８２がシャッター開部材７０の一端とカートリッジ８の突起７３の間に画成された凹部７４中に係合する。
【００４２】
カートリッジ８を装置内にさらに挿入すると、ローラ８２がガイド溝７８の傾斜部分を移動するにつれてシャッター６８がシャッターバネ７６の付勢力に抗して矢印Ｓ方向に開く。ローラ８４がガイド溝７８の長手方向直線部分まで来ると、ローラ８２がカートリッジ８の切欠き７２内に入り、シャッター６８が完全に開くことになる。
【００４３】
図７に示すように、磁気ヘッドリフタ５８とカートリッジ８のシャッター開部材７０との間にギャップＧが空くように磁気ヘッドリフタ５８をカートリッジホルダ６に固定すれば、カートリッジ８の装置内への挿入時にカートリッジ８と磁気ヘッドリフタ５８が干渉することはない。
【００４４】
この状態から更に、カートリッジ８はローラ８２，８４及びイジェクトアーム８６を押しながら光磁気ディスク装置２Ａ内に一杯に挿入され、図１に示した状態になる。
【００４５】
このとき、カートリッジ８の下側に位置しているスピンドルモータ１２のロック機構（図示せず）が解除され、スピンドルモータ１２が上昇して、ディスク１０をチャッキングする。
【００４６】
光磁気ディスク装置２Ａのパワーがオンされると、スピンドルモータ１２が駆動されディスク１０が回転する。情報記録時には、コイル５６に通電して第２キャリッジ４２をディスク１０の半径方向外側に移動させ、磁気ヘッドリフタ５８による磁気ヘッド４６の持ち上げ保持を解除する。これにより、ディスク１０の回転に伴う空気流により、磁気ヘッド４６は所定の高さでディスク１０上を浮上し、情報の記録が可能な状態になる。
【００４７】
情報記録時には、半導体レーザ（ＬＤ）１８及び磁気ヘッド４６を同時に駆動する。図２（Ａ）に最も良く示されるように、半導体レーザ１８から出射されたレーザビームは、ビーム立ち上げミラー３４により垂直方向に反射され、対物レンズ３０によりディスク１０上に集光される。
【００４８】
このとき、磁界変調された磁気ヘッド４６で外部磁界を印加すると、ディスク１０上に記録ピット（記録マーク）が形成される。情報記録時には、コイル３２及びコイル５６に同時に通電して、第１及び第２キャリッジ２６，４２を同時に移動させ、光学ヘッド２８及び磁気ヘッド４６が目的の記録トラックに向けてシークするように制御する。
【００４９】
情報記録時以外には磁気ヘッド４６を使用しないので、衝突による磁気ヘッド４６及びディスク１０の破損を防止するため、磁気ヘッド４６をディスク１０上から持ち上げた状態で保持する。
【００５０】
よって、カートリッジ８の挿入／排出時、情報の再生時及びスタンバイ時においては、コイル５６に通電して第２キャリッジ４２をディスク１０の半径方向内側に移動させ、係合子４８を磁気ヘッドリフタ５８の傾斜面５８ａ上に乗り上げさせて、磁気ヘッドリフタ５８で磁気ヘッド４６をディスク１０から離した状態で保持する。これにより、衝撃負荷等により磁気ヘッド４６がディスク１０に衝突して、磁気ヘッド４６及びディスク１０が損傷するのが防止される。
【００５１】
カートリッジ８を光磁気ディスク装置２Ａ内から排出する際は、上述したように磁気ヘッドリフタ５８により磁気ヘッド４６をディスク１０から離した状態で保持すると共に、図示しない機械的又は電気的機構によりスピンドルモータ１２を下降させる。
【００５２】
これにより、イジェクトアーム８６がコイルバネ８８の付勢力により、反時計回り方向に回動し、光磁気ディスクカートリッジ８は光磁気ディスク装置２Ａ内から排出される。
【００５３】
ローラ８２はカートリッジ排出バネ９０により、図５に示す元の位置に復帰する。更に、カートリッジ８のシャッター６８はシャッターバネ７６により閉じられる。
【００５４】
本実施形態は光学ヘッド２８と磁気ヘッド４６を別々に駆動するのが１つの特徴であり、更にディスクの内周側で磁気ヘッド４６を持ち上げて保持する手段が設けられているため、図１に示すように磁気ヘッド４６の移動ストロークＳ２は光学ヘッド２８の移動ストロークＳ１よりもディスク１０の内周側に長くなっている。
【００５５】
即ち、第２キャリッジ４２の可動範囲はストッパ６０，６４により規制される。磁気ヘッド４６は光学ヘッド２８の可動範囲より内周側まで、第２キャリッジ４２がストッパ６０に当たるまでシークできる。
【００５６】
磁気ヘッド４６が光学ヘッド２８の可動範囲を超えて更に内周側へシークすると、磁気ヘッドリフタ５８の傾斜面５８ａが係合子４８を徐々に持ち上げ、磁気ヘッド４６はディスク１０から持ち上げられた状態で保持される。
【００５７】
図１において、Ｌは第２キャリッジ４２が最外周側へ移動したときの第２キャリッジ４２の端部と、第２キャリッジ４２が最内周側へ移動したときの磁気ヘッド４６の端部との間の距離であり、光学ヘッド及び磁気ヘッドを同一キャリッジに取り付けた従来構成における対応する距離に比較して、Ｌを短くすることができる。
【００５８】
図１において、９２Ａ及び９２Ｂは光学部品設置スペースであり、本実施形態は光学ヘッド２８と磁気ヘッド４６を独立して駆動するため、斜線部分９２Ｂだけ従来装置に比較して光学部品設置スペースを広く取ることができる。その結果、装置の小型化・薄型化が可能である。
【００５９】
図８を参照すると、本発明第２実施形態の光磁気ディスク装置２Ｂの概略平面図が示されている。この図で省略されている構成部分は図１に示した第１実施形態と同様である。図９（Ａ）は図８の左側面図、図１０は図８の背面図である。
【００６０】
本実施形態は、磁気ヘッド４６が光学ヘッド２８の可動範囲を超えて更に外周側にシークでき、光磁気ディスク１０のデータ領域を外れた外側で磁気ヘッド４６をディスク１０から持ち上げた状態で保持するものである。
【００６１】
図１１に示されるように、カートリッジホルダ６には２つの長方形の開口３６ａ，３６ｂが形成されている。２つの開口３６ａ，３６ｂの間の部分９４が磁気ヘッドリフタとして作用する。
【００６２】
カートリッジ８の挿入／排出時、データの再生時及びスタンバイ時等に磁気ヘッド４６を光学ヘッド２８の可動範囲を超えて更に外周側にシークすると、図９（Ｂ）及び図１２に示すように、カートリッジホルダ６の磁気ヘッドリフタ部９４がロードビーム４４を徐々に持ち上げ、磁気ヘッド４６はディスク１０から持ち上げられた状態で保持される。
【００６３】
本実施形態は磁気ヘッドリフタ９４が装置内に挿入されたカートリッジ８の先端よりも更に奥側に設けられているため、カートリッジ８の挿入時にカートリッジと磁気ヘッドリフタ９４とが衝突する恐れは全くない。本実施形態の他の構成は、上述した第１実施形態と同様であるので、その説明を省略する。
【００６４】
図１３を参照すると、本発明第３実施形態の光磁気ディスク装置２Ｃの概略平面図が示されている。この図で省略されている構成部分は図１に示した第１実施形態と同様である。
【００６５】
本実施形態は図１に示した第１実施形態と類似しているが、第２キャリッジ４２′駆動用のボイスコイルモータ（ＶＣＭ）をカートリッジ８の窓（開口）６９内に収めた点で第１実施形態と相違する。
【００６６】
よって、第１実施形態と実質的に同一構成部分については同一符号の右肩に（′）を付して説明する。図１５Ｂに最も良く示されているように、カートリッジホルダ６は一体的に形成された凹部９６を有しており、この凹部９６が図５に示すような開口３６′を画成している。
【００６７】
一対のガイドレール４０′が、ストッパ６４′及び板バネ６６′をネジ６５′で凹部９６に締結することにより、カートリッジホルダ６の凹部９６に固定される。カートリッジホルダ６は鉄から形成されているため、一対の永久磁石５０′が凹部９６の側壁に吸着されている。
【００６８】
更に、各トップヨーク５６′の両端が折り曲げられて、トップヨーク５６′が永久磁石５０′に吸着されている。凹部９６の側壁がダウンヨークを構成する。ダウンヨーク９６、永久磁石５０′及びトップヨーク５２′で磁気回路を構成する。
【００６９】
第２キャリッジ４２′に磁気ヘッドアセンブリ４３が固定されている。第２キャリッジ４２′は更に、磁気回路に対応する位置に一対のコイル５６′を具備している。
【００７０】
磁気回路とコイル５６′でボイスコイルモータ（ＶＣＭ）が構成され、コイル５６′に電流を流すと、第２キャリッジ４２′が一対のガイドレール４０′に案内されてディスク１０の半径方向に移動する。
【００７１】
第１実施形態と同様に、磁気ヘッド４６が光学ヘッド２８の可動範囲を超えて更にディスク１０の内周側へシークすると、磁気ヘッドリフタ５８の傾斜面５８ａが係合子４８を徐々に持ち上げ、磁気ヘッド４６はディスク１０から持ち上げられた状態で保持される。
【００７２】
本実施形態はヘッドアセンブリ４３の駆動部（ＶＣＭ）をカートリッジ８の窓（開口部）６９の範囲内に収まるように構成したので、磁気ヘッド用ＶＣＭが占めるカートリッジホルダ６上側のスペースＨ２を第１実施形態のスペースＨ１に比較して小さくすることができる。よって、より小型の光磁気ディスク装置を実現できる。
【００７３】
図１６を参照すると、本発明第４実施形態の光磁気ディスク装置２Ｄの概略平面図が示されている。この図で省略されている構成部分は図１に示した第１実施形態と同様である。本実施形態は第１実施形態のヘッドアセンブリ４３を１８０°回転して第２キャリッジ４２に取り付けたものである。
【００７４】
即ち、磁気ヘッド４６がディスク１０の外周側に、ロードビーム４４の第２キャリッジ４２への固定部がディスク１０の内周側に配置されるように、磁気ヘッドアセンブリ４３を第２キャリッジ４２に取り付けたものである。
【００７５】
この構成だと、磁気ヘッドアセンブリ４３がディスク１０の最外周より外に飛び出ることがないので、他の光学部品や回路部品設置スペース９２Ａ′をより広く取ることができる。
【００７６】
図１７（Ａ）及び図１７（Ｂ）に示されているように、磁気ヘッド４６が光学ヘッド２８の可動範囲を超えて更にディスク１０の内周側へシークすると、ロードビーム４４が開口を画成するカートリッジホルダ６のエッジ６ａに乗り上げ、磁気ヘッド４６はディスク１０から離間した状態で保持される。よって、本実施形態においては図１に示した係合子４８を省略できる。
【００７７】
図１９を参照すると、本発明第５実施形態の光磁気ディスク装置２Ｅの概略平面図が示されている。この図で省略されている構成部分は図１に示した第１実施形態と同様である。
【００７８】
本実施形態では、ロードビーム４４′の長手方向が第２キャリッジ４２の移動方向と直角となるように、ロードビーム４４′が第２キャリッジ４２に取り付けられている。
【００７９】
図２２に示されるように、ロードビーム４４′の先端部分４４ａが磁気ヘッド４６を超えて伸びており、この先端部分４４ａが第１実施形態の係合子４８に相当する。
【００８０】
カートリッジホルダ６の裏面に磁気ヘッドリフタ９８が固定されている。磁気ヘッドリフタ９８にはディスク１０の内周側及び外周側に一対の傾斜面９８ａが形成されている。
【００８１】
磁気ヘッド４６が光学ヘッド２８の可動範囲を超えてディスク１０の内周側又は外周側へシークすると、磁気ヘッドリフタ９８の傾斜面９８ａがロードビーム４４′の先端部４４ａを徐々に持ち上げ、磁気ヘッド４６がディスク１０から浮上した状態で保持される。本実施形態ではディスク１０の内周側及び外周側のいずれでも磁気ヘッド４６を持ち上げて保持することができる。
【００８２】
図２３を参照すると、本発明のタイミングチャートが示されている。比較のために、図２４に従来例のタイミングチャートを示す。
スピンドルモータ及び光学ヘッドの動作は、本発明は従来例と同様である。即ち、スピンドルモータはデータの読み出し、データの書き込み及びアイドル中は回転している。光学ヘッドのトラッキングは、データの読み出し及びデータの書き込み中はオンになっており、アイドル状態では光学ヘッドのトラッキングはオフになる。
【００８３】
図２３から明らかなように、本発明においては磁気ヘッドのトラッキングはデータの書き込み中だけオンになる。よって、カートリッジの挿入及び排出時、データの読み出し時、アイドル時及びスリープ中は磁気ヘッドはディスクから持ち上げられた状態で保持される。
【００８４】
また本発明においては、常にディスクが回転中に磁気ヘッドのローディングが行なわれるので、磁気ヘッドがディスクに接触することはない。これをダイナミックローディングと称する。
【００８５】
図２４に示されている従来例においては、磁気ヘッドを機械的手段によりディスク面から持ち上げているのは、カートリッジの装置内への挿入時及び排出時のみである。
【００８６】
図２４において、（ａ）はキャリッジ駆動用のコイルには電流は流れていないが、スピンドルモータが回転しているためスピンドルからの正圧で磁気ヘッドが浮上している状態を示している。
【００８７】
（ｂ）はスピンドルの回転も止まり、磁気ヘッドがディスク面に着地している状態を示している。（ｃ）は磁気ヘッドを機械的手段により十分にディスク面から持ち上げている状態を示している。
【００８８】
以上の説明から明らかなように、本発明は従来例に比較して、（ａ）及び（ｂ）の危険状態がなく、光磁気ディスク装置の信頼性を向上することができる。
以上、本発明を浮上型磁気ヘッドを有する光ディスク装置について説明してきたが、本発明はこれに限定されるものではなく、接触型磁気ヘッドを有する光ディスク装置にも同様に適用可能である。
【００８９】
更に、今後光変調方式を採用した光ディスク装置でも、高密度記録再生が進めば磁気ヘッドを採用する可能性が高くなるので、本発明は磁気ヘッドを採用した光変調方式の光ディスク装置にも同様に適用可能である。
【００９０】
【発明の効果】
本発明によれば、磁気ヘッドを使用する時以外にはディスクのデータ領域から外れた場所にディスク面から持ち上げたまま磁気ヘッドを保持する手段を設けたので、装置内へのディスク挿入中の磁気ヘッド破損の危険が減少し、信頼性を向上することができる。
【００９１】
また、磁気ヘッドを搭載した第２キャリッジをカートリッジホルダ上に配置しているので、磁気ヘッドの駆動機構のスペースをとるためにカートリッジホルダの厚さを厚くする必要がなく、カートリッジホルダ上又はその下側の空きスペースに磁気ヘッドの駆動機構を設置することができ、装置の薄型化を図ることができる。
【００９２】
さらに、光学ヘッドを移動する機構と磁気ヘッドを移動する機構を分離したため、磁気ヘッドを取り付けたキャリッジ部分を装置の奥側へ追い込む必要がなくなり、光学部品の設置スペースを十分確保することができ、装置の小型化が可能である。
【図面の簡単な説明】
【図１】本発明第１実施形態の光磁気ディスク装置の概略平面図である。
【図２】図２（Ａ）は図１の概略側面図であり、図２（Ｂ）は図２（Ａ）の２Ｂ部分の拡大図である。
【図３】図１の概略背面図である。
【図４】磁気ヘッドの移動機構部分を示す第１実施形態の斜視図である。
【図５】第１実施形態における光磁気ディスクカートリッジのカートリッジホルダへの挿入開始時の平面図であり、シャッターの開閉機構及びカートリッジの排出機構を示している。
【図６】光磁気ディスクカートリッジをカートリッジホルダ内へ挿入途中の平面図である。
【図７】図６の７−７線断面図である。
【図８】本発明第２実施形態の光磁気ディスク装置の概略平面図であり、光学ヘッドの移動機構部分は省略されている。
【図９】図９（Ａ）は図８の概略側面図であり、図９（Ｂ）は図９（Ａ）の９Ｂ部分の拡大図である。
【図１０】図８の概略背面図である。
【図１１】第２実施形態のカートリッジホルダと磁気ヘッドアセンブリとの関係を示す図である。
【図１２】図１１の１２−１２線断面図である。
【図１３】本発明第３実施形態の光磁気ディスク装置の概略平面図であり、光学ヘッドの移動機構部分は省略されている。
【図１４】図１３の概略側面図である。
【図１５】図１５（Ａ）は図１３の概略背面図であり、図１５（Ｂ）は図１５（Ａ）の１５Ｂ部分の拡大図である。
【図１６】本発明第４実施形態の光磁気ディスク装置の概略平面図であり、光学ヘッドの駆動機構部分は省略されている。
【図１７】図１７（Ａ）は図１６の概略側面図であり、図１７（Ｂ）は図１７（Ａ）の１７Ｂ部分の拡大図である。
【図１８】図１６の概略背面図である。
【図１９】本発明第５実施形態の光磁気ディスク装置の概略平面図であり、光学ヘッドの移動機構部分は省略されている。
【図２０】図１９の概略側面図である。
【図２１】図１９の概略背面図である。
【図２２】第５実施形態の磁気ヘッドリフタ部分を示す概略斜視図である。
【図２３】本発明のタイミングチャートである。
【図２４】従来例のタイミングチャートである。
【符号の説明】
４  ドライブベース
６  カートリッジホルダ
８  光磁気ディスクカートリッジ
１０  光磁気ディスク
１２  スピンドルモータ
１４  磁気回路
１６  ガイドレール
１８  半導体レーザ
２６  第１キャリッジ
２８  光学ヘッド
３０  対物レンズ
３２  コイル
４０  ガイドレール
４２  第２キャリッジ
４３  磁気ヘッドアセンブリ
４４  ロードビーム
４６  磁気ヘッド
４８  係合子
５８  磁気ヘッドリフタ
【図１】
0003544125.tif 000002
【図２】
0003544125.tif 000003
【図３】
0003544125.tif 000004
【図４】
0003544125.tif 000005
【図５】
0003544125.tif 000006
【図６】
0003544125.tif 000007
【図７】
0003544125.tif 000008
【図８】
0003544125.tif 000009
【図９】
0003544125.tif 000010
【図１０】
0003544125.tif 000011
【図１１】
0003544125.tif 000012
【図１２】
0003544125.tif 000013
【図１３】
0003544125.tif 000014
【図１４】
0003544125.tif 000015
【図１５】
0003544125.tif 000016
【図１６】
0003544125.tif 000017
【図１７】
0003544125.tif 000018
【図１８】
0003544125.tif 000019
【図１９】
0003544125.tif 000020
【図２０】
0003544125.tif 000021
【図２１】
0003544125.tif 000022
【図２２】
0003544125.tif 000023
【図２３】
0003544125.tif 000024
【図２４】
0003544125.tif 000025